(57)【特許請求の範囲】
【請求項１】
ハンドルを回転させることで弁体が動いて流量が変化するバルブに取り付けられ、該バルブの操作量を示すバルブ操作用補助具であって、
平板状で、表面に中心から放射線状に角度目盛が設けられ、前記ハンドルの表面側に同心に着脱自在に装着されて、前記ハンドルと一緒に回転する角度表示板と、
前記バルブの弁箱側に着脱自在に固定され、前記角度表示板の角度目盛を指し示す固定指示体と、
前記角度表示板の表面に着脱自在に配設され、対向する前記角度目盛を指し示して前記ハンドルと一緒に回転する回転指示体と、
を備えることを特徴とするバルブ操作用補助具。
【請求項２】
前記固定指示体は、前記ハンドルが回転することで該ハンドルが進退する方向に延びる並行部を有し、該並行部の前記ハンドルに対向する面に長手方向に沿って進退目盛が設けられている、
ことを特徴とする請求項１に記載のバルブ操作用補助具。
【請求項３】
前記ハンドルは、中心部に被嵌合部が設けられており、
前記角度表示板の中心部に嵌合部が設けられ、該嵌合部を前記被嵌合部に嵌合させることで、前記角度表示板が前記ハンドルに装着される、
ことを特徴とする請求項１または２のいずれか１項に記載のバルブ操作用補助具。
【発明の詳細な説明】
【技術分野】
【０００１】
この発明は、バルブの操作量を示すバルブ操作用補助具に関し、特に、ハンドルの操作量をひと目で認識できるようにするバルブ操作用補助具に関する。
【背景技術】
【０００２】
例えば、発電所において、手動弁の開度調整によって流体の流量を調整する場合、現状からどの程度の操作量なのかを把握するには、ハンドルの大まかな回転角度や回転数に従って行っており、正確な把握が困難であった。このため、例えば、流量の微調整を要する場合、微量な操作量の把握が困難で、作業者によってバラツキが生じていた。
【０００３】
さらに、現場の作業者と中央制御室の制御指示者とで連絡を取りながら手動弁の開度調整を行う場合、例えば、どのくらい操作を行ったかを作業者が制御指示者に正確に伝えることができない。このため、制御指示者が操作量と操作結果（例えば、発電出力）との関係を正確に把握することができず、続いて制御指示者から作業者に開度調整を指示する場合にも、適正な操作量を伝えることができないこととなる。
【０００４】
一方、バルブの栓を開閉するための回動用軸と同軸に設けた手動用ハンドルを有するバルブにおいて、回動用軸に昇降自在な表示用部材を設け、目盛り表示部を介してバルブの開閉度合いを表示する、というバルブの開度表示装置が知られている（例えば、特許文献１参照。）。また、分銅が揺動自在に吊設されたダイヤルインジケータを、弁のハンドルに同軸に取り付け、分銅によってハンドルの原点からの回転量を検出し、その検出結果を手動弁の開度として表示する、という手動弁開度表示器が知られている（例えば、特許文献２参照。）。
【先行技術文献】
【特許文献】
【０００５】
【特許文献１】特開閉０７−３１７９４７号公報
【特許文献２】特開閉１０−１２２４２１号公報
【発明の概要】
【発明が解決しようとする課題】
【０００６】
ところで、特許文献１、２の装置はいずれも、ハンドル操作の結果である弁開度（どのくらい弁が開いているか）を表示するものであり、ハンドルの操作量そのものを表示するものではない。このため、どのくらいハンドルを操作したのか、どのくらいハンドルを操作するのか、をひと目で把握することができない。このため、現場の作業者と中央制御室の制御指示者とで連絡を取りながら手動弁の開度調整を行う場合、例えば、制御指示者から作業者に対して、「ハンドルを開方向にあと９０度回転させてください。」という指示をしても、作業者は正確なハンドル操作を行うことが困難である。同様に、制御指示者から作業者に対して、「どのくらいハンドルを回転させましたか。」という問い合わせを行っても、作業者は正確な操作量（回転角）を伝えることが困難である。
【０００７】
また、特許文献１、２の装置は、構成が複雑で費用がかさむとともに、バルブへの設置に時間と労力とを要する。しかも、任意のバルブへの取り付け取り外しが困難なため、すべてのバルブに設置したままにする必要があり、多大な費用を要する。
【０００８】
そこでこの発明は、バルブのハンドルの操作量をひと目で認識可能で、かつ、取り扱いが容易なバルブ操作用補助具を提供することを目的とする。
【課題を解決するための手段】
【０００９】
上記課題を解決するために、請求項１の発明は、ハンドルを回転させることで弁体が動いて流量が変化するバルブに取り付けられ、該バルブの操作量を示すバルブ操作用補助具であって、平板状で、表面に中心から放射線状に角度目盛が設けられ、前記ハンドルの表面側に同心に着脱自在に装着されて、前記ハンドルと一緒に回転する角度表示板と、前記バルブの弁箱側に着脱自在に固定され、前記角度表示板の角度目盛を指し示す固定指示体と、前記角度表示板の表面に着脱自在に配設され、対向する前記角度目盛を指し示して前記ハンドルと一緒に回転する回転指示体と、を備えることを特徴とする。
【００１０】
この発明によれば、角度表示板をハンドルの表面側に同心に装着し、固定指示体をバルブの弁箱側に固定すると、固定指示体が操作前の角度目盛の目を指し示す。続いて、ハンドルを回転させてバルブを操作すると、ハンドルと一緒に角度表示板が回転し、固定指示体が操作後の角度目盛の目を指し示す。
【００１１】
請求項２の発明は、請求項１に記載のバルブ操作用補助具において、前記固定指示体は、前記ハンドルが回転することで該ハンドルが進退する方向に延びる並行部を有し、該並行部の前記ハンドルに対向する面に長手方向に沿って進退目盛が設けられている、ことを特徴とする。
【００１３】
請求項３の発明は、請求項１または２に記載のバルブ操作用補助具において、前記ハンドルは、中心部に被嵌合部が設けられており、前記角度表示板の中心部に嵌合部が設けられ、該嵌合部を前記被嵌合部に嵌合させることで、前記角度表示板が前記ハンドルに装着される、ことを特徴とする。
【発明の効果】
【００１４】
請求項１の発明によれば、バルブの操作前における角度表示板の角度目盛とバルブの操作後における角度表示板の角度目盛とを、固定指示体が指し示すため、バルブのハンドルの操作量（回転角度）をひと目で認識することが可能となる。また、所定の角度だけハンドルを回転させる場合には、回転させる前に固定指示体が指し示した角度表示板の角度目盛の目から、角度表示板の角度目盛を見ながら所定の角度だけハンドルを回転させればよい。このように、どのくらいハンドルを回転、操作したのか、どのくらいハンドルを操作するのか、をひと目で容易に把握することが可能となる。
【００１５】
この結果、例えば、現場の作業者と中央制御室の制御指示者とで連絡を取りながらバルブの開度調整を行う場合、制御指示者から作業者に対して、「ハンドルを開方向にあと９０度回転させてください。」という指示をした際に、作業者は正確にハンドル操作を行うことができる。同様に、制御指示者から作業者に対して、「どのくらいハンドルを回転させましたか。」という問い合わせが行われた際に、作業者は正確な操作量（回転角）を伝えることができる。
【００１６】
また、角度表示板と固定指示体を備えるだけでの簡易な構成なため、低コストで製作することができる。また、角度表示板をハンドルの表面側に装着して、固定指示体をバルブの弁箱側に固定するだけで、既存のバルブに加工などを施すことなく、容易かつ迅速に設置することができる。しかも、角度表示板と固定指示体が着脱自在なため、１つのバルブ操作用補助具で多くのバルブに適用することができて経済的であるとともに、不要な場合にはバルブ操作用補助具を取り外すことで作業性、安全性などが向上する。このようにして、取り扱いが容易となるものである。
【００１７】
請求項２の発明によれば、ハンドルが進退する方向に進退目盛が設けられているため、バルブの操作前のハンドルに対向する進退目盛の指示値と、バルブの操作後のハンドルに対向する進退目盛の指示値とによって、ハンドルの操作量（進退量）、特に、ハンドルを何回転させたかをひと目で認識することが可能となる。
【００１８】
さらに、請求項１の発明によれば、例えば、バルブの操作前に固定指示体が指し示す角度表示板の角度目盛に回転指示体を配設し、ハンドルを回転させてバルブを操作すると、ハンドルと一緒に角度表示板と回転指示体が回転する。そして、操作後に固定指示体が指し示す角度目盛と、回転指示体が指し示す角度目盛とによって、ハンドルの操作量をより容易かつ確実に認識することが可能となる。すなわち、操作前の位置（角度目盛）が回転指示体で示されるため、作業者は操作前の位置を覚えておく必要がなく、ハンドルの操作量をより容易かつ確実に認識することが可能となる。
【００１９】
請求項３の発明によれば、角度表示板の嵌合部をハンドルの被嵌合部に嵌合させるだけで、容易かつ迅速に角度表示板をハンドルに装着することができる。
【図面の簡単な説明】
【００２０】
【図１】この発明の実施の形態に係るバルブ操作用補助具の設置状態を示す平面図である。
【図２】図１のバルブ操作用補助具の設置状態の正面図である。
【図３】図１のバルブ操作用補助具の設置対象であるバルブを示す平面図である。
【図４】図３のバルブの正面図である。
【図５】図１のバルブ操作用補助具の角度表示板を示す平面図である。
【図６】図１のバルブ操作用補助具の固定指示体を示す正面図（ａ）と、平面図（ｂ）と、側面図（ｃ）である。
【図７】図１の状態からバルブのハンドルを１８０度回転させた状態を示す平面図である。
【図８】この発明の実施の形態に係る他の形態の角度表示板を示す、平面図（ａ）と正面図（ｂ）である。
【発明を実施するための形態】
【００２１】
以下、この発明を図示の実施の形態に基づいて説明する。
【００２２】
図１、図２は、この発明の実施の形態に係るバルブ操作用補助具１の設置状態を示す平面図と正面図である。このバルブ操作用補助具１は、ハンドル１０１を回転させることで弁体が動いて流量が変化するバルブ１００に取り付けられ、該バルブ１００の操作量を示す補助具である。
【００２３】
ここで、バルブ１００は、手動弁で、図３、図４に示すように、弁体および弁座が収容された弁箱（ボデー）１０２の開口部１０２ａに、ボンネット（蓋）１０３が蓋用ボルト１０４と蓋用ナット１０５によって装着されている。蓋用ボルト１０４は、弁箱１０２の開口部１０２ａ周縁から突出して配設され、強固な締付を確保するため、蓋用ナット１０５を締め付けた状態で、蓋用ボルト１０４の先端部が蓋用ナット１０５から所定量（蓋用ナット１０５の厚み程度）露出している。
【００２４】
また、ボンネット１０３および弁箱１０２の開口部１０２ａを貫通してステム（弁棒）１０６が配設され、ステム１０６は、弁箱１０２に対して進退動自在となっている。すなわち、ステム１０６は、ねじ棒で構成され、ボンネット１０３に形成されたねじ孔に螺合され、ねじ孔に対して軸心回りに回転させることで弁箱１０２に対して進退動する。また、ステム１０６の一端部（弁箱１０２側の端部）に弁体が配設され、ステム１０６の他端部にハンドル１０１が配設されている。
【００２５】
ハンドル１０１は、この実施の形態では、ハンドル車状となっている。すなわち、図３に示すように、リング状の円環部１１１の中心部に円盤状のセンタ部１１２が配置され、円環部１１１とセンタ部１１２とが棒状の連結部１１３で連結されている。この連結部１１３は、９０度間隔で４つ設けられている。そして、センタ部１１２の中心部に挿入孔１１２ａが形成され、この挿入孔１１２ａにステム１０６の他端部が挿入され、ハンドル１０１の表面から突出したステム１０６の他端部にハンドル用ナット１１４が螺合されて、ハンドル１０１がステム１０６に取り付けられている。
【００２６】
ここで、ステム１０６には、ハンドル１０１の裏面側に位置するストッパー（図示せず）が設けられ、このストッパーとハンドル用ナット１１４とでンドル１０１を挟持している。また、この実施の形態では、ハンドル用ナット１１４が、ハンドル１０１の中心部に設けられた被嵌合部となっている。
【００２７】
そして、ハンドル１０１を回転させることでステム１０６が弁箱１０２に対して進退動し、これに伴って弁体が弁座に対して接近したり離れたりして、流量が変化するものである。
【００２８】
バルブ操作用補助具１は、図１、図２に示すように、主として、角度表示板２と、固定指示体３と、回転指示体４と、を備えている。
【００２９】
角度表示板２は、平板状で、表面２ａに中心から放射線状に角度目盛２１が設けられ、ハンドル１０１の表面側に同心に着脱自在に装着されて、ハンドル１０１と一緒に回転するものである。すなわち、図５に示すように、鉄板で構成された円板状で、中心から放射線状に、表面２ａの外周端に角度目盛２１が設けられている。この角度目盛２１は、１０度間隔で目が刻まれ、角度表示板２の全周にわたって設けられている。
【００３０】
また、角度表示板２の外径は、ハンドル１０１の円環部１１１の外径とほぼ同径に設定され、中心部に正六角形状のナット挿入孔（嵌合部）２２が形成され、このナット挿入孔２２内にハンドル用ナット１１４を挿入、嵌合可能となっている。そして、ナット挿入孔２２をハンドル用ナット１１４に嵌合させることで、角度表示板２がハンドル１０１の表面側にハンドル１０１と同心に装着され、ナット挿入孔２２をハンドル用ナット１１４から抜くことで、角度表示板２がハンドル１０１から取り外れる。また、ハンドル１０１に装着された状態では、ハンドル１０１の回転に伴って角度表示板２がハンドル１０１と一緒に回転するものである。
【００３１】
固定指示体３は、バルブ１００の弁箱１０２側に着脱自在に固定され、角度表示板２の角度目盛２１の一目を指し示すものである。すなわち、図６に示すように、帯状の鉄板を略Ｌ字状に曲げて構成され、水平部３１の自由端部に円板状の固定部３２が形成されている。この固定部３２の中心部には、バルブ１００の蓋用ボルト１０４を挿入可能なボルト挿入孔３３が形成されている。
【００３２】
また、垂直部（並行部）３５の自由端部は、反水平部３１側に水平（垂直部３５に直角）に折り曲げられて指示部３６が形成され、この指示部３６の表面には、水平部３１側に尖った矢印３７が標示されている。そして、図２に示すように、蓋用ナット１０５から露出した蓋用ボルト１０４の先端部をボルト挿入孔３３に挿入し、固定ナット５を蓋用ボルト１０４の先端部に締め付けることで、固定指示体３がボンネット１０３（弁箱１０２側）に取り付けられる。また、固定ナット５を外すことで、固定指示体３がボンネット１０３から取り外れるものである。
【００３３】
このようにして固定された状態で、指示部３６の表面が角度表示板２の表面２ａとほぼ面一に位置し、指示部３６が角度表示板２の外周縁に近接して、矢印３７が角度表示板２の角度目盛２１の一目を指し示すように、水平部３１および垂直部３５の長さが設定されている。また、固定指示体３が固定された状態では、垂直部３５は、ハンドル１０１が回転することで該ハンドル１０１が進退する方向、つまり、ステム１０６の軸心方向に延びる。
【００３４】
そして、図６に示すように、この垂直部３５のハンドル１０１に対向する面３５ａには、長手方向（ハンドル１０１の進退方向であるステム１０６の軸心方向）に沿って進退目盛３８が設けられている。この進退目盛３８は、ハンドル１０１が１回転することでハンドル１０１が進退する長さと、同じ間隔で目が刻まれ、ハンドル１０１が進退動する全範囲にわたって設けられている。つまり、ハンドル１０１が１回転すれば、ハンドル１０１に対向する進退目盛３８の目が１つ変化するようになっている。
【００３５】
回転指示体４は、角度表示板２の表面２ａに着脱自在に配設され、対向する角度目盛２１の一目を指し示してハンドル１０１と一緒に回転するものである。すなわち、磁石で構成された三角柱状で、角度表示板２の表面２ａに磁力で付いたり離れたりすることが自在で、図１に示すように、１つの角部を角度目盛２１の任意・所望の位置に配設することで、対向する角度目盛２１の一目を指し示す。そして、ハンドル１０１が回転すると、角度表示板２とともに一緒に回転する。
【００３６】
以上のような角度表示板２と固定指示体３と回転指示体４は、携帯自在な大きさと重量で、現場に携帯して設置できるものである。
【００３７】
次に、このような構成のバルブ操作用補助具１の作用などについて説明する。
【００３８】
まず、操作対象のバルブ１００にバルブ操作用補助具１を取り付ける。すなわち、角度表示板２のナット挿入孔２２をハンドル１０１のハンドル用ナット１１４に嵌合させて、角度表示板２をハンドル１０１の表面側に装着する。また、バルブ１００の蓋用ボルト１０４の先端部を固定指示体３のボルト挿入孔３３に挿入し、固定ナット５を蓋用ボルト１０４に締め付けて、固定指示体３をボンネット１０３に取り付ける。そして、図１に示すように、固定指示体３の矢印３７が指し示す角度目盛２１の目に、回転指示体４の角部が対向するように回転指示体４を角度表示板２上に配置する。この回転指示体４が配置された角度目盛２１の目が、操作前の指示値となる。
【００３９】
続いて、ハンドル１０１を回転させてバルブ１００を操作すると、ハンドル１０１と一緒に角度表示板２と回転指示体４が回転し、図７に示すように、固定指示体３の矢印３７が操作後の角度目盛２１を指し示す。この指し示した角度目盛２１の目が、操作後の指示値となる。そして、この操作後の指示値と、操作前の指示値（回転指示体４が指し示す角度目盛２１の目）とによって、ハンドル１０１の操作量（回転角）を確認、認識する。
【００４０】
また、所定・所望の角度だけハンドル１０１を操作したい場合には、操作前に固定指示体３の矢印３７が指し示す角度目盛２１の目に回転指示体４を配置する。そして、回転指示体４が示す角度目盛２１の目（指示値）と、操作中に固定指示体３の矢印３７が指し示す角度目盛２１の目との差（回転角）を確認しながら、所定・所望の角度だけハンドル１０１を回転させる。
【００４１】
さらに、バルブ１００の操作前のハンドル１０１（例えば、下面）に対向する進退目盛３８の指示値と、バルブ１００の操作後のハンドル１０１に対向する進退目盛３８の指示値との差によって、ハンドル１０１の操作量つまり進退量を確認、認識する。この際、ハンドル１０１を１回転させると、ハンドル１０１に対向する（ハンドル１０１が指し示す）進退目盛３８の目が１つ変化するため、ハンドル１０１が指し示す進退目盛３８の目の変化数に基づいて、ハンドル１０１を何回転させたかを認識する。例えば、進退目盛３８の目が２つ変化すれば、ハンドル１０１を２回転させたと認識する。
【００４２】
以上のように、このバルブ操作用補助具１によれば、バルブ１００の操作前における角度表示板２の角度目盛２１とバルブ１００の操作後における角度表示板２の角度目盛２１とを、固定指示体３の矢印３７が指し示すため、バルブ１００のハンドル１０１の操作量（回転角度）をひと目で認識することが可能となる。また、所定の角度だけハンドル１０１を回転させる場合には、回転させる前に固定指示体３の矢印３７が指し示した角度目盛２１の目から、回転する角度表示板２の角度目盛２１を見ながら所定の角度だけハンドル１０１を回転させればよい。このように、どのくらいハンドル１０１を回転、操作したのか、どのくらいハンドル１０１を操作すればよいのか、をひと目で容易に把握することが可能となる。
【００４３】
この結果、例えば、発電所における現場の作業者と中央制御室の制御指示者とで連絡を取りながらバルブ１００の開度調整を行う場合、制御指示者から作業者に対して、「ハンドルを開方向にあと９０度回転させてください。」という指示をした際に、作業者は正確にハンドル操作を行うことができる。同様に、制御指示者から作業者に対して、「どのくらいハンドルを回転させましたか。」という問い合わせが行われた際に、作業者は正確な操作量（回転角）を伝えることができる。このため、制御指示者は、操作量と操作結果（例えば、発電出力）との関係を正確に把握することができ、続くバルブ１００の操作量（ハンドル１０１の回転角）を適正に指示することができる。
【００４４】
しかも、ハンドル１０１が進退する方向に進退目盛３８が設けられているため、操作前のハンドル１０１が指し示す進退目盛３８の指示値と、操作後のハンドル１０１が指し示す進退目盛３８の指示値との差によって、ハンドル１０１の操作量（進退量）、特に、ハンドル１０１を何回転させたかをひと目で認識することが可能となる。
【００４５】
さらに、例えば、バルブ１００の操作前に固定指示体３の矢印３７が指し示す角度表示板２の角度目盛２１に回転指示体４を配設することで、操作後や操作中に固定指示体３の矢印３７が指し示す角度目盛２１の目と、回転指示体４が指し示す角度目盛２１の目とによって、ハンドル１０１の操作量をより容易かつ確実に認識することが可能となる。すなわち、操作前の位置（角度目盛２１の目）が回転指示体４で示されるため、作業者は操作前の位置を覚えておく必要がなく、ハンドル１０１の操作量をより容易かつ確実に認識することが可能となる。
【００４６】
このようにして、正確・適正にバルブ１００を操作することができるとともに、作業者による操作量の個人差が生ぜず、この結果、業務の効率化が図られる。
【００４７】
また、角度表示板２と固定指示体３と回転指示体４を備えるだけでの簡易な構成なため、低コストで製作することができる。また、角度表示板２をハンドル１０１の表面側に装着して、固定指示体３をバルブ１００のボンネット１０３に固定するだけで、既存のバルブ１００に加工などを施すことなく、容易かつ迅速に設置することができる。しかも、角度表示板２と固定指示体３が着脱自在なため、１つのバルブ操作用補助具１で多くのバルブ１００に適用することができて経済的であるとともに、不要な場合にはバルブ操作用補助具１を取り外すことで作業性、安全性などが向上する。さらに、角度表示板２のナット挿入孔２２をハンドル１０１のハンドル用ナット１１４に嵌合させるだけで、容易かつ迅速に角度表示板２をハンドル１０１に装着することができる。このようにして、取り扱いが容易となるものである。
【００４８】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、固定指示体３をボンネット１０３に固定しているが、ハンドル１０１と一緒に回転しない部位に固定すればよく、弁箱１０２に固定してもよい。また、蓋用ボルト１０４を介して固定指示体３を取り付けているが、バルブ１００の構造に応じて他の部位を介して取り付けてもよい。
【００４９】
同様に、ナット挿入孔２２をハンドル用ナット１１４に嵌合させて角度表示板２をハンドル１０１に装着しているが、バルブ１００の構造に応じた他の方法で装着してもよい。例えば、ハンドル１０１の表面からハンドル用ナット１１４が突出していない場合に、図８に示すように、角度表示板２の裏面２ｂに円弧状のツバ部（嵌合部）２３を円周上に複数配設する。そして、ハンドル１０１のセンタ部１１２に複数のツバ部２３を嵌合させて挟持することで、ハンドル１０１に同心に角度表示板２を装着する。また、角度表示板２の裏面２ｂにクリップを設けて、クリップでハンドル１０１の連結部１１３を挟持してもよい。
【００５０】
また、バルブ１００の操作前に固定指示体３の矢印３７が指し示す角度表示板２の角度目盛２１に回転指示体４を配設しているが、次のようにしてもよい。すなわち、バルブ１００の操作前に角度目盛２１の目標値（どこまで回転させたいかを示す位置）に回転指示体４を配設し、回転指示体４が固定指示体３の矢印３７に位置するまでハンドル１０１を回転させる。
【００５１】
一方、固定指示体３の垂直部３５を透明にして、垂直部３５の外面（面３５ａの反対面）に進退目盛３８を設けてもよく、外面もハンドル１０１に対向する面に含まれる。また、垂直部３５を伸縮自在にし、形状や大きさが異なる多様なバルブ１００に適用できるようにしてもよい。さらに、ハンドル１０１がハンドル車状の場合について説明したが、その他の形状（例えば、棒状のハンドル）にも適用可能である。
【符号の説明】
【００５２】
１        バルブ操作用補助具
２        角度表示板
２ａ      表面
２１      角度目盛
２２      ナット挿入孔（嵌合部）
３        固定指示体
３５      垂直部（並行部）
３８      進退目盛
４        回転指示体
１００    バルブ
１０１    ハンドル
１０２    弁箱
１０３    ボンネット（弁箱側）
１０６    ステム
１１１    円環部
１１２    センタ部
１１４    ハンドル用ナット（被嵌合部）
【図１】
0006515660.tif 000002
【図２】
0006515660.tif 000003
【図３】
0006515660.tif 000004
【図４】
0006515660.tif 000005
【図５】
0006515660.tif 000006
【図６】
0006515660.tif 000007
【図７】
0006515660.tif 000008
【図８】
0006515660.tif 000009